(57)【要約】【課題】狭額化を図りつつ発光部の配置を容易にすることができる表示装置および表示装置のインジケータ表示方法を提供する。【解決手段】表示装置１は、表示面３を形成する表示パネル２と、表示パネル２の背後に配置される光源２０と、光源２０の光を表示パネル２の周縁４から表示面３側に導いて発光させる導光部材２１，１２と、を備えている。表示装置１のインジケータ表示方法は、表示パネル２の背後に配置された光源２０の光を、導光部材２１，１２によって表示パネル２の周縁４から表示面３側に導いて発光させる。【選択図】図５
2017138569.tif 000002
【特許請求の範囲】
【請求項１】
表示面を有する表示パネルと、
前記表示パネルの後方に配置される光源と、
前記光源の光を前記表示パネルの周縁に沿って前記表示面側に導く導光部材と、
を備えていることを特徴とする表示装置。
【請求項２】
前記導光部材は、前記表示パネルの後方に配置されて前記光源の光を前記表示面と平行な面方向に導く第一導光部材と、前記表示パネルの周縁に配置されて前記第一導光部材が導いた光を前記表示面と直交する面直方向に導く第二導光部材と、を備えていることを特徴とする請求項１に記載の表示装置。
【請求項３】
前記第二導光部材は、前記表示パネルの周縁に沿う板状をなすことを特徴とする請求項２に記載の表示装置。
【請求項４】
前記表示パネルの周縁を囲うベゼルを備え、
前記ベゼルに前記第二導光部材が取り付けられていることを特徴とする請求項３に記載の表示装置。
【請求項５】
前記第一導光部材における第一導光方向と交差する断面の断面積は、前記第二導光部材における第二導光方向と交差する断面の断面積よりも大きいことを特徴とする請求項４に記載の表示装置。
【請求項６】
前記第二導光部材は、前記第一導光部材が導いた光を前記表示面と直交する面直方向に反射させる反射面を有することを特徴とする請求項２から５の何れか一項に記載の表示装置。
【請求項７】
表示パネルの後方に配置された光源の光を、導光部材によって前記表示パネルの周縁から表示面側に導いて発光させることを特徴とする表示装置のインジケータ表示方法。
【発明の詳細な説明】
【技術分野】
【０００１】
本発明は、表示装置および表示装置のインジケータ表示方法に関する。
【背景技術】
【０００２】
液晶表示装置等の表示装置は、テレビやコンピュータやモニター等、様々な分野で用いられている。このような表示装置では、電源起動状態等を表示するために、インジケータランプを備えている（例えば、特許文献１参照）。
【先行技術文献】
【特許文献】
【０００３】
【特許文献１】特開２０１４−１９２７６８号公報
【発明の概要】
【発明が解決しようとする課題】
【０００４】
特許文献１に記載の表示装置では、光源を含むインジケータランプをスピーカーボックスに取り付け、このスピーカーボックスを表示装置の筐体に取り付けている。このとき、インジケータランプの発光部が表示装置の額縁部に配置されて、表示面側（使用者側）に露出するようになっている。
しかし、昨今の表示装置では、額縁部が極端に細い場合が多く、発光部の配置が困難であるという課題がある。
【０００５】
本発明は、上述した課題に鑑みてなされたものであり、狭額化を図りつつ発光部の配置を容易にすることができる表示装置および表示装置のインジケータ表示方法を提供することを目的としている。
【課題を解決するための手段】
【０００６】
本発明に係る表示装置は、表示面を有する表示パネルと、前記表示パネルの後方に配置される光源と、前記光源の光を前記表示パネルの周縁に沿って前記表示面側に導く導光部材と、を備えたことを特徴とする。
【０００７】
本発明に係る表示装置のインジケータ表示方法は、表示パネルの後方に配置された光源の光を、導光部材によって前記表示パネルの周縁から表示面側に導いて発光させることを特徴とする。
【発明の効果】
【０００８】
本発明に係る表示装置および表示装置のインジケータ表示方法によれば、狭額化を図りつつ発光部の配置を容易にすることができる。
【図面の簡単な説明】
【０００９】
【図１】本発明の実施形態における表示装置を正面側から見た斜視図である。
【図２】上記表示装置を裏面側から見た斜視図である。
【図３】上記表示装置の発光部周りの正面図である。
【図４】上記表示装置を裏面側から見た分解斜視図である。
【図５】図３のＶ−Ｖ断面図である。
【図６】上記表示装置の発光部周りを正面側から見た斜視図である。
【図７】上記表示装置の第一導光部材の単品図であり、（ａ）は平面図、（ｂ）は正面図、（ｃ）は側面図である。
【図８】上記表示装置の第二導光部材（第一実施形態）の単品図であり、（ａ）は平面図、（ｂ）は正面図、（ｃ）は側面図である。
【図９】上記表示装置の第二導光部材（第二実施形態）の単品図であり、（ａ）は平面図、（ｂ）は正面図、（ｃ）は側面図、（ｄ）は（ｃ）のｄ部拡大図である。
【図１０】図９の第二導光部材の作用を示す側面図である。
【発明を実施するための形態】
【００１０】
＜第一実施形態＞
以下、本実施形態における表示装置１および表示装置１のインジケータ表示方法について図１〜図８を参照して説明する。
図１および図２に示す表示装置１は、例えば液晶表示装置であり、前面に画像を表示する表示面３を有する表示パネル２と、表示パネル２の周縁４の外側面を囲うベゼル５と、表示パネル２の背面（裏面）を覆うリアカバー６と、表示パネル２を支持するスタンド７と、インジケータとしての発光面（発光部）２８を有する発光装置８と、を備えている。なお、本実施形態において、表示装置１の表示面３側を前側とし、リアカバー６側を後側、背面側又は裏面側とする。
【００１１】
表示パネル２は、背面に図示しないＬＥＤ等のバックライトを備えており、該バックライト等がリアカバー６によって覆われている。
スタンド７は、円板状のベース９に角筒状の支柱１０を取り付けている。支柱１０は、例えばＶＥＳＡ（Video Electoronics Standard Association）規格の固定部１１を介してリアカバー６に固定されている。スタンド７は、使用者の要望に応じて表示パネル２の高さおよび傾斜角度を調整可能である。
【００１２】
図１、図３に示すように、表示装置１は、表示パネル２の周縁４とベゼル５との間に、発光面２８を形成する第二導光部材１２を配置している。表示パネル２は、表示面３の外周にフレームが無く、正面視矩形状の周縁４の外周側に枠形状のベゼル５を取り付けている。
【００１３】
図４に示すように、表示パネル２は、裏面にメイン基板１３を取り付けている。メイン基板１３は、表示パネル２の表示面３に表示する映像の処理や音声の処理等、表示装置１の各種制御等を司る不図示の回路を実装した基板であり、表示パネル２の裏面の略中央に配置されている。メイン基板１３には、外部の電子機器等と信号を入出力するための複数の配線を同方向から接続するように、例えば１箇所に集約された不図示の端子群が設けられている。
【００１４】
表示パネル２は、裏面にシールド板金１４を取り付けている。シールド板金１４には、メイン基板１３等が覆われている。
ベゼル５は、表示パネル２の周縁４の下辺部４ａ、上辺部４ｂおよび左右側辺部４ｃ，４ｄにそれぞれ被着される下辺部１５、上辺部１６および左右側辺部１７，１８を有する。ベゼル５は、各辺部の断面形状が周壁部５ａおよび後壁部５ｂによって略Ｌ字状をなすように設けられている。
【００１５】
発光装置８は、発光部基板１９と、光源２０と、第一導光部材２１と、第二導光部材１２と、を備えている。
図５に示すように、発光部基板１９は、表示パネル２とリアカバー６との間に配置されている。発光部基板１９には、例えばＬＥＤ（Light Emitting Diode）等の光源２０が実装されている。発光部基板１９には、表示装置１が接続される交流電源を直流に整流する回路を含んだ不図示の電源回路が実装されている。
【００１６】
光源２０は、例えば発光部基板１９における外側部寄りに設けられた光源実装部２２に実装されている。光源２０は、発光部基板１９上の電源回路が起動された際に、例えば白色に発光する。なお、光源２０の発光する色は、白色に代えて任意に選択することができる。光源２０は、表示パネル２の背後（正面視で表示パネル２と重なる範囲の裏面側）に配置されている。
【００１７】
図６、図７に示すように、第一導光部材２１は、例えば３０ｍｍの上下高さ寸法Ｌ１、例えば７ｍｍの左右幅寸法Ｌ２、例えば４ｍｍの前後厚さ寸法Ｌ３を有する四角柱状に形成されている。第一導光部材２１は、例えば透明な樹脂材料（ＰＣ（Polycarbonate）等の熱可塑性プラスチック）や、同じく透明なガラス材料等によって形成されている。
【００１８】
第一導光部材２１は、高さ方向の一端（上端）を発光部基板１９に近接させて配置されている。第一導光部材２１は、上端面を受光面２４とし、下端面を発光面２５としている。受光面２４は、発光部基板１９の光源２０に下方から対向している。第一導光部材２１は、表示パネル２の背後に配置され、光源２０の光を表示面３と平行な面方向で下方に導く。第一導光部材２１は、表示パネル２の外形端よりも内側に配置されている。第一導光部材２１における上下方向（長手方向）に沿う導光方向を第一導光方向とする。
【００１９】
図６、図８に示すように、第二導光部材１２は、表示パネル２の周縁４の端面に沿う平板状であって、例えば０．４ｍｍの上下厚さ寸法Ｌ４、例えば８ｍｍの左右幅寸法Ｌ５、例えば１５ｍｍの前後長さ寸法Ｌ６を有するように形成されている。第二導光部材１２は、第一導光部材２１と同様、例えば透明な樹脂材料やガラス材料等によって形成されている。なお、第二導光部材１２は、透明に代えて乳白色等の半透明であってもよい。
【００２０】
第二導光部材１２は、上面後側に、第一導光部材２１の発光面２５に空隙Ｂを介して下方から対向する受光面２７を有し、かつ表示パネル２の周縁４の下辺部４ａとベゼル５の下辺部１５との間で前方に露出する発光面２８を有している。第二導光部材１２は、第一導光部材２１が導いた光を表示面３と直交する面直方向で前方に導く。第二導光部材１２における前後方向（長手方向）に沿う導光方向を第二導光方向とする。
【００２１】
ここで、第二導光部材１２における第二導光方向と直交する断面の断面積は、第一導光部材２１における第一導光方向と直交する断面の断面積よりも小さい。これにより、第二導光部材１２を表示パネル２の周縁４の下辺部４ａとベゼル５の下辺部１５との間の狭空間に配置し易く、かつ光源２０から第二導光部材１２へ伝わる光量を確保できる。
【００２２】
第二導光部材１２は、第一導光部材２１に対して、所定の空隙Ｂを介して光学的に接続されている。なお、第二導光部材１２は、厚さ寸法Ｌ４が第一導光部材２１の厚さ寸法Ｌ３に対して極めて薄いため、第一導光部材２１と一体に成型することが困難である。しかし、第二導光部材１２は、第一導光部材２１と分割構造とすることで、各導光部材２１，１２の形成を容易にできる。なお、第一導光部材２１と第二導光部材１２とを一体に形成してもよい。
【００２３】
図３を参照し、第二導光部材１２の厚さ寸法Ｌ４は、ベゼル５の下辺部１５と表示パネル２の周縁４との間の隙間寸法Ｌ７よりも小さい。第二導光部材１２は、例えばベゼル５の下辺部１５に固定されて、ベゼル５の下辺部１５と表示パネル２の周縁４との間に挿入されている。特にマルチモニターとして設置する場合には、表示面３側にインジケータが不要になる。このため、ベゼル５とともに第二導光部材１２を取り外し、第一導光部材２１によって電源起動状態を認識することが有効である。なお、第二導光部材１２はベゼル５に固定することに限定されず、ベゼル５と別個に着脱可能としてもよい。
【００２４】
次に、表示装置１におけるインジケータ表示方法について説明する。
発光部基板１９上の電源回路が起動された場合、光源２０が発光する。これにより、光源２０の光は、第一導光部材２１の受光面２４に入射され、第一導光部材２１内を透過して発光面２５から第二導光部材１２に向けて発光される。
【００２５】
第一導光部材２１の発光面２５で発光した光は、空隙Ｂを介して第二導光部材１２の受光面２７に入射される。第二導光部材１２の受光面２７に入射された光は、第二導光部材１２内を透過し、ベゼル５の下辺部１５と表示パネル２の表示面３の下辺部４ａとの間に位置する発光面２８から前方に向けて発光される。
【００２６】
このように、本実施形態では、表示パネル２の背後に光源２０を配置し、この光源２０の光を、第一導光部材２１および第二導光部材１２によって、表示パネル２の面方向および面直方向の２方向に導く。これにより、表示パネル２の背後に配置された光源２０の光を、表示パネル２の周縁４から表示面３側に導き、表示面３側で第二導光部材１２の発光面２８を発光させることができる。
【００２７】
以上説明した表示装置１によれば、表示面３を形成する表示パネル２と、表示パネル２の背後に配置される光源２０と、光源２０の光を表示パネル２の周縁４から表示面３側に導いて発光させる導光部材２１，１２と、を備えている。このため、表示パネル２の背後に配置された光源２０の光を、導光部材２１，１２によって表示パネル２の周縁４から表示面３側に導いて発光させるインジケータ表示方法が可能となる。これにより、光源２０を表示パネル２の周縁４に配置する場合と比べて、表示装置１の狭額化を図りつつ発光部の配置を容易にすることができる。
【００２８】
また、表示装置１によれば、導光部材２１，１２が、表示パネル２の背後に配置されて光源２０の光を表示面３と平行な面方向に導く第一導光部材２１と、表示パネル２の周縁４に配置されて第一導光部材２１が導いた光を表示面３と直交する面直方向に導く第二導光部材１２と、を備えている。このため、表示パネル２の背後から表示面３側へ光を導く導光部材２１，１２を分割構造とし、導光部材２１，１２の製造を容易にすることができる。また、光源２０および導光部材２１，１２の配置自由度を高めることができる。
【００２９】
また、表示装置１によれば、第二導光部材１２が、表示パネル２の周縁４に沿う板状をなし、表示面３側の端面を発光面２８としている。このため、表示装置１の狭額化を容易にするとともに、第二導光部材１２の製造および配置を容易にすることができる。
【００３０】
また、表示装置１によれば、表示パネル２の周縁４を囲うベゼル５を備え、ベゼル５に第二導光部材１２が取り付けられている。このため、第二導光部材１２がベゼル５とともに着脱可能となり、マルチモニターとして設置する場合の利便性を高めることができる。
【００３１】
また、表示装置１によれば、第一導光部材２１における光源２０から第二導光部材１２に向かう第一導光方向と交差する断面の断面積が、第二導光部材１２における第一導光部材２１から発光面２８に向かう第二導光方向と交差する断面の断面積よりも大きく設定されている。このため、第一導光部材２１から第二導光部材１２に至る光量を確保できるとともに、第二導光部材１２を表示装置１の額縁部にコンパクトに配置することができる。
【００３２】
＜第二実施形態＞
次に、本発明の第二実施形態について図９、図１０を参照して説明する。
第二実施形態は、第一実施形態に対して、反射面２９が形成された第二導光部材１１２を備える点で特に異なる。その他の第一実施形態と同一構成には同一符号を付して詳細説明は省略する。
【００３３】
第二導光部材１１２は、受光面２７と反対側の下面２７ａの前後中間部に、左右方向に延びる反射面２９を形成している。第二導光部材１１２は、下面２７ａの前後中間部に、左右方向に延びる面形成凹部３０を形成している。面形成凹部３０は、断面三角形状をなし、第二導光部材１１２の左右全幅に渡って左右方向に沿って延びている。面形成凹部３０は、発光面２８側の内側面を反射面２９としている。受光面２７は、前後方向で概ね第一導光部材２１の発光面２５と対向する範囲に形成されている。この受光面２７の前後中間部となる位置に、面形成凹部３０および反射面２９が形成されている。面形成凹部３０および反射面２９は、下面２７ａおよび受光面２７の少なくとも一方に形成されていればよい。面形成凹部３０および反射面２９は、それぞれ複数形成されていてもよい。面形成凹部３０の断面形状は、反射面２９を形成していれば、三角形状に限らない。
【００３４】
第一および第二実施形態では、表示パネル２の背後に配置された光源２０の光を、第二導光部材２１，１２によって表示パネル２の周縁４から表示面３側に導いて発光させる。その際、第一導光部材２１の発光面２５で発光した光が第二導光部材１２，１１２の受光面２７に入射されるが、このとき、光源２０が部品のバラツキ等で暗い場合、光量が少なく導光される光量が減り、発光面２８が十分に発光しないことが考えられる。
【００３５】
しかし、第二実施形態では、第二導光部材１１２の例えば第一導光部材２１の発光面２５と対向する部位の中央付近に、光源の光を第二導光部材１１２の発光面２８に向かうように反射面２９を形成している。このため、光源の光を表示面３側に良好に導いて発光させるインジケータ表示方法が可能となり、認識可能な光量を容易に確保することができる。
【００３６】
反射面２９は、平面状をなし、第一導光部材２１の発光面２５から発光された光を第二導光部材１１２の発光面２８に向けて反射させる角度に形成されている。面形成凹部３０は、板状の第二導光部材１１２の例えば上下厚みの半分程度の深さに形成されている。面形成凹部３０は、第二導光部材１１２の強度を確保できれば、第二導光部材１１２の上下厚みの２／３程度の深さに形成されてもよい。
【００３７】
反射面２９は、例えば発光面２５から鉛直下方に照射されて受光面２７に入射した光が、第二導光部材１１２内を水平方向に導光されて発光面２８に向かうように、図１０の側面視で４５度の角度に形成されている。
第二導光部材１１２の下面２７ａには、面形成凹部３０の前部で下側ほど前側に位置するように傾斜する反射面２９と、面形成凹部３０の後部で下側ほど後側に位置するように傾斜する対向面と、が形成されている。すなわち、面形成凹部３０は、第二導光部材１１２の下面２７ａを側面視Ｖ字状に切り欠くように形成されている。
【００３８】
光源から反射面２９に至る光は、効率よく発光面２８へ導くために、透明なプラスチック成型部材である第二導光部材１１２の反射面２９において、透過させることなく全反射させることが好ましい。
光源からの光が反射面２９に到達すると、スネルの法則により屈折、反射が発生する。このとき、全反射のおこる臨界角θｃと、透明なプラスチック成型部材である第二導光部材１１２の屈折率ｎとの間には、以下の関係が成り立つ。
ｓｉｎθｃ＝１／ｎ
【００３９】
例えば、第二導光部材１１２にポリカーボネート材（ｎ=１．５９）を用いた場合は、臨界角θｃ=３８．９７°となる。この臨界角θｃより小さい角度（反射面２９の法線２９ａに近い角度）で入射した光は、全反射を起こさず一部が反射面２９で屈折して射出する。他方、臨界角より大きい角度で入射した光は、反射面２９で全反射を起こし、入射光の１００％が反射される。
【００４０】
したがって、反射面２９の下面２７ａ（水平面）に対する角度θは、全反射を実現するために以下の範囲となる。
９０°＞θ＞θｃ=３８．９７°
【００４１】
第二実施形態では、図１０に示すように、例えば光源から鉛直下方に進む光路２０ａの場合には、受光面２７に入射した光を発光面２８の方向に全反射させる反射面２９の角度θは、図１０の側面視で４５°の角度となる。図中符号２８ａは反射面２９で反射されて第二導光部材１１２内を水平方向前方に進む光路を示す。
【００４２】
以上説明した第二実施形態の表示装置によれば、第一実施形態と同様の作用効果を奏するとともに、第二導光部材１１２が、第一導光部材２１からの光を表示面３と直交する面直方向に反射させて発光面２８へ導く反射面２９を形成することで、第二導光部材１１２の発光面２８に至る光量をより一層確保することができる。
【００４３】
なお、本発明は上記実施形態に限られるものではなく、その要旨を逸脱しない範囲で種々の設計変更が可能である。例えば、第一導光部材２１は、四角柱状に限らず円柱状等の種々形状にしてもよい。また、第二導光部材１２，１１２は、板状に限らず、表示パネル２の周縁４に厚さを抑えて配置できれば、棒状等の種々形状にしてもよい。
そして、上記実施形態における構成は本発明の一例であり、当該発明の要旨を逸脱しない範囲で種々の変更が可能である。
【符号の説明】
【００４４】
１  表示装置
２  表示パネル
３  表示面
５  ベゼル
１２，１１２  第二導光部材（導光部材）
２０  光源
２１  第一導光部材（導光部材）
２８  発光面
【図１】
2017138569.tif 000003
【図２】
2017138569.tif 000004
【図３】
2017138569.tif 000005
【図４】
2017138569.tif 000006
【図５】
2017138569.tif 000007
【図６】
2017138569.tif 000008
【図７】
2017138569.tif 000009
【図８】
2017138569.tif 000010
【図９】
2017138569.tif 000011
【図１０】
2017138569.tif 000012